(57)【要約】      （修正有）【課題】従来、霊園又は墓地には「○○家之墓」又は「○○家累代之墓」墓石が建てられるとともに、一家又は一族のご先祖様を文字であらわされていたため、ご先祖様の在りし日のお姿や印象は、時間の経過とともに薄らぐとともに代々の故人の尊厳又は敬意も薄らぐという課題に対し、親近感や敬意の念をさらに増大させる墓石を提供する。【解決手段】墓石本体１の一部に中空部２を形成して開口部２ｅに開閉自在の扉部を備え、前記中空部２の内部に立体像が設置される。【選択図】図１
2016098639.tif 000002
【特許請求の範囲】
【請求項１】
墓石本体において、該墓石本体の下方向の面に切削加工により形成される中空部を備え、該中空部は前端を開口部とし、該開口部を介して前記中空部内に立体像を着脱自在に設置されるようにしたことを特徴とする墓石。
【請求項２】
前記中空部の内部形状は四角形、三角形状又は半円形状のいずれかであることを特徴とする請求項１記載の墓石。
【請求項３】
前記中空部の開口部の端部に開閉自在の扉部を備えたことを特徴とする請求項１又は２の記載の墓石。
【請求項４】
前記中空部における底面部は開口部側の面が前記中空部の奥面部に対して低くなるよう傾斜面に形成されていることを特徴とする請求項１乃至３のいずれかに記載の墓石。
【請求項５】
前記扉部の周辺部に密閉用部材を配設したことを特徴とする請求項１乃至４のいずれかに記載の墓石。
【請求項６】
前記立体像はコンピュータ上で作った３Ｄプリンタにより作製される人物像、愛玩動物像又は小間物類の立体像としたことを特徴とする請求項１乃至５のいずれかに記載の墓石。
【発明の詳細な説明】
【技術分野】
【０００１】  本発明は墓石に関し、特に墓石の一部に形成した中空部に一家の故人又は愛玩動物の立体像を設置される墓石に関する。
【背景技術】
【０００２】  従来、霊園又は墓地には「○○家之墓」又は「○○家累代之墓」等の墓石が建てられるとともに、一家又は一族の中で亡くなられた故人の俗名又は戒名を墓石本体の側面に刻し、さらには肖像等を墓誌等に彫り込み、故人への尊厳とともに敬意をあらわしていた。【０００３】  特許文献１は、厚さ３センチメートル程度の透明なクリスタルガラスの内部に遺影を立体影像としてレーザー彫刻加工をなし、墓碑として墓地面に設置固定し、墓碑の遺影を立体影像として視覚に訴える旨が記載されている。特許文献２は、故人の戒名等の文字とともに遺影や肖像を墓誌本体に直接に彫り込むことで、長い年月にわたり見栄えよく表示でき、墓誌本体と台石とを着脱自在とし、墓誌本体に絵を彫り込む旨が記載されている。
【先行技術文献】
【特許文献】
【０００４】
【特許文献１】特開２０１０−１９６４５３公報
【特許文献２】特開２００１−６５２０３公報
【発明の概要】
【発明が解決しようとする課題】
【０００５】  従来、一家又は一族のご先祖様は墓石の側面部に文字又は墓石の近傍に設置した墓誌に戒名及び俗名等を刻み又は姿や顔を浮き彫りする形態であらわされていた。このため従来の形態によれば、ご先祖様の在りし日のお姿等は各自がそれぞれの体験又は伝聞に基づいて回想させるにとどまり、参拝者全員に対して瞬時（リアルタイム）に故人又はご先祖様へ生前の印象を視覚に強く訴求させるものではなく、時間の経過とともに敬意及び愛着の念が薄らぎ、ひいては墓参の回数が漸減する課題があった。【０００６】  本発明は、霊園又は墓場等における墓石に関する上記のような課題を解決し、故人の立体像を墓石の内部に設置し、立体像を拝することにより故人の面影とともに生前の時代背景及び当時の文化等を後世にわたり、視覚を介して強く印象づけることができるとともに、改めて特定の故人への敬意の念、さらにはご先祖様への愛着や親近感を増大させるとともに、敬意の念等を維持し、継続させる墓石の提供を目的とする。
【課題を解決するための手段】
【０００７】  上記の課題を解決するための本発明の第１の手段は、墓石本体において、該墓石本体の下方向の面に切削加工により形成される中空部を備え、該中空部は前端を開口部とし、該開口部を介して前記中空部内に立体像を着脱自在に設置されるようにしたことを特徴とする墓石。【０００８】  第２の手段は、前記中空部の平面形状は方型、三角形状又は半円形状のいずれかであることを特徴とする墓石である。【０００９】  第３の手段は、前記中空部の開口部の端部に開閉自在の扉部を備えたことを特徴とする墓石である。【００１０】  第４の手段は、前記中空部における底面部は開口部側の面が前記中空部の奥面部に対して低くなるよう傾斜面に形成されていることを特徴とする墓石である。【００１１】  第５の手段は、前記扉部の周辺部に密閉用部材を配設したことを特徴とする墓石である。【００１２】  第６の手段は、前記立体像はコンピュータ上で作った３Ｄプリンタにより作製される人物像、愛玩動物像又は小間物類の立体像としたことを特徴とする墓石である。【００１３】  第１の手段では、墓石本体において、該墓石本体の下方向の面に切削加工により形成される中空部を備え、該中空部は前端を開口部とし、該開口部を介して前記中空部内に立体像を着脱自在に設置されるようにしたことから、墓石に刻まれた俗名との文字だけではなく、墓石本体の中空部に設置された立体像を目視できる。これにより、故人等の累代のご先祖様の在りし日のお姿に拝することから、参拝者全員に対して瞬時（リアルタイム）に故人又はご先祖様へ生前の印象に強く訴求させ、敬意の念とともに親近感を益々増大させることができる。また、立体像は、着脱自在に設置されることから、設置する立体像の形態を他の故人等のものに適宜交換することができる。さらに、着脱自在に設置したことにより、例えば特定故人の法要等が済み次第、それらを家に持ち帰り、次の法要まで別の場所で保管できる効果を奏する。【００１４】  第２の手段では、前記中空部の平面形状は方型、三角形状又は半円形状のいずれかであることから、墓石本体における中空部の切削加工が墓石本体の形態に応じて作製することができる。【００１５】  第３の手段では、前記中空部の開口部の端部に開閉自在の扉部を備えたことにより、中空部内への埃や水の侵入を防止し、内部に設置した立体像の損傷を防ぐことができる。【００１６】  第４の手段では、前記中空部における底面部は開口部側の面が前記中空部の奥面部に対して低くなるよう傾斜面に形成されていることから、中空部内に入った水を外部へ自然排水させることができ、上記扉部の設置との相乗効果により中空部内に設置した立体像が汚れるのを防ぐことができる。【００１７】  第５の手段では、前記扉部の周辺部に密閉用部材を配設したことから、中空部内に水や埃等の侵入を防ぐことができる。【００１８】  第６の手段では、前記立体像はコンピュータ上で作った３Ｄプリンタにより作製される人物像、愛玩動物像又は小間物類の立体像としたことから、看者に対して瞬時に故人又は犬や猫等の愛玩動物へ印象を視覚に強く訴求させることができる。また、立体像は３Ｄプリンタにより作製されることから、短時間でかつ低価格で人物像等を作製することができる。立体像には、ゴルフクラブ、喫煙パイプ、筆、万年筆等の筆記用具、野球用グローブ、スパイク、草履等の履物類、パレット画材具等の生前の愛用品が含まれる。人物像とともに生前の愛用品を中空部内に設置することにより、故人の生前の趣味や生活等を垣間見ることが可能になり、故人への親近感とともに愛着の念を増大させる。さらに、時の経過とともに故人の生前当時の文化や流行等の風俗を再認識させることができる。
【発明の効果】
【００１９】  上記のような課題を解決するため、お墓参りをするたびに故人の在りし日のお姿を立体的に視認することが可能となり、立体像の外観を介して改めて新鮮な印象を受け、ご先祖様への敬意の念を増大させ、維持し継続させる効果を奏する。愛玩動物の立体像においても、生前にかわいがっていた犬又は猫等の動物への愛着とともに、心の癒しや安らぎを改めて抱かせる効果を奏する。さらに、従前から墓石又は墓誌にあらわされている俗名、戒名又はレリーフ等の形態と併せて、本発明に係る視覚に訴える立体像も墓参することにより、故人等への敬意、尊厳及び愛着の念の惹起させる相乗的効果を奏する。
【図面の簡単な説明】
【００２０】
【図１】発明の実施の形態に係る墓石を示す概略正面図である。
【図２】発明の実施の形態に係る墓石を示す正面図におけるＡ−Ａ線概略断面図である。
【図３】発明の実施の形態に係る墓石の一部に形成する中空部の構造を示すＡ−Ａ線拡大概略断面図である。
【図４】発明の実施の形態に係る墓石の一部に形成する中空部の平面の形状を示す概略図である。
【図５】発明の実施の形態に係る墓石の中空部に立体像及び扉部を設置した状態を示すＡ−Ａ線拡大概略断面図である。
【図６】発明の実施の形態に係る墓石の扉部の裏面図である。
【図７】発明の実施形態に係る墓石の中空部における立体像の背面を示す概略図である。
【図８】発明の他の実施の形態に係る洋型墓石を示す概略側断面図である。
【図９】発明の他の実施の形態に係る芝生墓石を示す概略平面図である。
【発明を実施するための形態】
【００２１】  本発明の実施の形態を、図面に基づき説明する。
（図面の説明）
図１乃至図７は、本発明の実施の形態を示すものである。さらに、図８及び図９は、本発明の他の実施の形態を示すものである。
図１は和型墓石本体１を示す概略正面図であり、図２はＡ−Ａ線概略断面図、図３は中空部２の構造を示すＡ−Ａ線概略拡大断面図、図４は墓石の一部に形成する中空部の平面の形状を示す概略図、図５は中空部に立体像及び扉部を設置した状態を示すＡ−Ａ線拡大概略断面図、図６は扉部の密閉構造を示す扉部の裏面図、図７は立体像の背面を示す概略図、図８は洋型墓石に本発明に係る立体像を設置した状態を示す側断面図、図９は芝生型墓石に本発明に係る立体像を設置した状態を示す平面図である。
【００２２】（墓石本体１の構成）
本実施の形態における墓石本体１は、図１に示すように、和型墓石の正面視側の下方向の一部に中空部２を凹設して構成される。図１は、墓石本体１の形態が和型墓石の形態であらわされているが、一般的には、公営墓地又は霊園における例えば洋型墓石に指定する旨等の場合を除き、墓石の形態については制限を設けられていない。墓石の形態の種類は、「和型墓石」、「洋型墓石」、「芝生型墓石」さらには「デザイン型墓石」などがあり、本実施の形態において、墓石本体１の形態は和型墓石に限定されるものではなく、後述する「洋型墓石」及び「芝生型墓石」、さらには「デザイン型墓石」（図示しない）ついても実施可能である（請求項１）。
【００２３】（中空部２の構成）
中空部２は、図２に示すように、墓石本体１の下方部に後述する立体像３を内部に備え付けることが可能なように、高さ、横幅及び奥行を有する構成である。具体的には、中空部２における奥行を約１０センチメートル程度とし、墓石本体１の強度に影響しない限度に切削して形成される。中空部２は、図２及び図３に示すように底面部２ａ及び左右両側面２ｂ、２ｂ’及び天面部２ｃ、奥面部２ｄ及びの正面側は開口する開口部２ｅからなる構成である。中空部２は、図２及び図３に示すように内部の形状が直方体の形状であるが、図４（１）（２）に示すように三角形又は半円形の形状を有する構成である（請求項２）。
【００２４】  中空部２の開口部２ｅには図３に示すように開閉自在かつ錠前等によるロック可能（図示しない）な扉部２ｇを備える構成である（請求項３）。
さらに、中空部２の底面部２ａは、図３に示すように開口部２ｅ側の底面部２ａが中空部２の奥面部２ｄに対して低くなるよう傾斜面２ｆが形成される構成である（請求項４）。
【００２５】  中空部２の扉部２ｇは、図６に示すように周辺に密閉用部材２ｈを付設する。具体的には素材が天然ゴム、アクリルゴム等のパッキンを固設した構成である（請求項５）。
【００２６】  中空部２の内部には、図２に示すように立体像３を照らすことができるようＬＥＤ４（Ｌｉｇｈｔ  Ｅｍｉｔｔｉｎｇ  Ｄｉｏｄｅ：発光ダイオード）を複数箇所に配置される。複数箇所に配置されたＬＥＤ４の照明により、立体像３が墓参者に見えるように照らされる。内部にＬＥＤを設置する場合は、立体像３が浮かび上がるように照らし、カラーの立体像３においては色鮮やかに照らし出されるようにＬＥＤ４の照明角度又はＬＥＤ４の配置を変更できる構成にしてもよい。他方、ＬＥＤ４の照明は、外部からの懐中電灯（携帯用ＬＥＤランプ）を用いて中空部２の内部の立体像３を照らすようにしてもよい。
【００２７】（立体像３の構成）
立体像３は、図３に示すように、高さ略８から１５センチメートル、横幅略３から１０センチメートルの立体像である。ここで、立体像３は３次元構造データに基づいて３Ｄプリンタにより立体的に作製される。一方、立体像３は３Ｄプリンタで作製されたものに彩色その他加工したもの、又は人形師が作製されたもののいずれでもよい。立体像３は、人物像、愛玩動物像以外に生前愛用していた小間物類も含まれる。具体的には、ゴルフクラブ、喫煙パイプ、筆、万年筆等の筆記用具、野球用グローブ、スパイク、草履等の履物類、パレット画材具等である。立体像３の材質は、ガラス、金属、プラスチック、木製等のいずれでもよい（請求項６）。
【００２８】  立体像３は、愛玩動物、具体的には、猫又は犬等の場合も、３Ｄプリンタにより生前の姿を立体的に作製し、中空部２の底面部２ａに設置する。ＬＥＤ４の照明により猫又は犬の立体像３を浮かび上がるように照らし、カラーの猫又は犬の立体像３は色鮮やかに照らし出される構成にしてもよい。
【００２９】  立体像３の背面は平面に形成され、図７に示すように立体像３が人物像の場合は背面に俗名、戒名、生年月日、没年等を記入又は刻むように形成される。また、図示しないが、愛玩動物の場合は、ペットの名前、没年等を記入又は刻むように形成される。万年筆等の愛用品についても使用者の氏名等を記入される。
【００３０】（中空部２の形成方法例）
中空部２は、既に霊園又は墓場に設置された墓石本体１に形成される場合は、石材加工により中空部２に設置される立体像３の寸法にあわせて切断工具により切削加工により形成される。具体的には、電動回転式カッターに切削加工用の刃先（ダイヤモンドカッター）を取り付けて中空部２が切削加工により形成される。また、切削加工において、中空部２の底面部２ａは、図３に示すように開口部２ｅ側の底面部２ａが中空部２の奥面部２ｄに対して低くなるよう傾斜面２ｆが形成されるように加工する。上記は、既に設置された墓石本体１への中空部２の形成について説明したが、新規に墓石本体１を作製する場合は、墓石本体１を切削加工する過程で中空部２を切削加工により形成される。さらに、図８又は図９に示す洋型墓石本体１又は芝生型墓石本体１に中空部２を形成する場合も、上記の切削加工により形成される。
【００３１】（扉部２ｇの構成及び設置方法）
扉部２ｇは、図５に示すように回動部材を介して、扉部２ｆを下方へ下げる構成である具体的には蝶番（図示しない、以下同じ）を扉部２ｇに取り付け、蝶番を介して扉部２ｆを下方へ下げる構成である。本実施の形態において、図示しないが扉部２ｇの開閉形態を片開きの構成にすること、又は両開きのいわゆる観音開きの構成にしてもよい。扉部２ｇの開閉形態を片開きの構成又は両開きの構成にされた場合も、扉部２ｇの周辺に天然ゴム、アクリルゴム等のパッキン２ｈを固設する構成にしてもよい（請求項３）。
【００３２】（立体像３の中空部２への取り付け実施例）
立体像３は、中空部２の底面部２ａに接着剤（図示しない）、又は、両面接着剤で着脱自在に設置される。なお、接着剤を用いる場合でも立体像３の底部に損傷させない程度の粘着力があれば十分であり、簡易的又は一時的し接着し、容易に剥離できるように設置するのが望ましい。立体像３の底部をねじ等の部材（図示しない）で着脱自在に設置されるようにしてもよい。上記の立体像３の中空部２への取り付け方法は、図６に示す洋型墓石本体１についても同じ取り付け方法で設置される。図２に示すように中空部２の底面部２ａは傾斜面が有していることから中空部２を正面から見て水平に見えるように中空部２における底面部２ａと立体像３の底部の間に水平保持用補正部材（図示しない）具体的には断面くさび状の部材を介在させてもよい。
図７に示す芝生型墓石本体１に形成された中空部２に立体像３を設置する場合は、墓石本体１は正面上方向から視認するため、立体像３が人物像の場合は仰向け状態で中空部２内に固定して設置される。
【００３３】（立体像３のメンテナンス方法）
中空部２へ設置した立体像３は、着脱自在に設置されている構成であることから別の立体像３への追加補充又は交換が必要に応じて適宜行なうことが可能な構成である。立体像３への追加補充又は交換方法は、内部に固定して設置された立体像３は、粘着剤等の剥離又はねじ部材のとりはずしにより行われる。具体的には、立体像３の交換等は、法要等の墓参りの際に各自霊園等へ持参し、設置することが可能である。また、委託業者に委託して立体像３の交換又は追加補充等を行うことも可能である。
【００３４】  上記に本発明の実施形態について説明したが、これらの実施形態は、例として提示したものであり、発明の範囲を限定するものではない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００３５】１    墓石
２    中空部
２ａ  底面部
２ｂ、２ｂ’  側面部
２ｃ  上面部
２ｄ  奥面部
２ｅ  開口部
２ｆ  傾斜面
２ｇ  扉部
２ｈ  パッキン
３    立体像
４    ＬＥＤ照明
【図１】
2016098639.tif 000003
【図２】
2016098639.tif 000004
【図３】
2016098639.tif 000005
【図４】
2016098639.tif 000006
【図５】
2016098639.tif 000007
【図６】
2016098639.tif 000008
【図７】
2016098639.tif 000009
【図８】
2016098639.tif 000010
【図９】
2016098639.tif 000011